(57)【要約】【課題】ヘッドフリンジ磁界を小さくすると共に、記録磁界を低下させることのない磁気記録ヘッドを提供する。【解決手段】サイドトップギャップＳＴＧは、トレーリングギャップＴＲＧの２倍より狭く、好ましくは、トレーリングギャップＴＲＧと同じ幅である。また、サイドボトムギャップＳＢＧは、サイドトップギャップＳＴＧより大きく形成され、かつ、ポール幅ＰＷの２倍より小さく形成されている。また、主磁極２１のリーディング方向ＬＤの端における磁気シールド２９のボトム開口幅ＢＡＷは、主磁極２１のトレーリング方向ＴＲの端における磁気シールド２９のトップ開口幅ＴＡＷより大きく形成されている。【選択図】図７
2011123962.tif 000002
【特許請求の範囲】
【請求項１】
回転する磁気ディスクに対しリーディング方向に進行し、前記磁気ディスクにデータの記録を行う磁気記録ヘッドであって、
前記磁気ディスクへ情報を記録するための磁界を発生させる主磁極と、
非磁性の絶縁部を介して、前記主磁極から出力される磁界の広がりを抑える磁気シールド部と、を備え、
前記磁気シールド部は、前記磁気ディスクに対向する面である摺動面上において、前記主磁極から、前記リーディング方向とは反対方向であるトレーリング方向と、前記磁気ディスクのトラック幅方向であるクロストラック方向の少なくとも片側とを含んで配置され、
前記主磁極の前記トレーリング方向の端における、前記主磁極と前記磁気シールド部との間の前記クロストラック方向の距離であるサイドトップギャップは、前記主磁極と前記磁気シールド部との間の前記トレーリング方向の距離であるトレーリングギャップの２倍より小さく、
前記主磁極の、前記リーディング方向の端における、前記主磁極と前記磁気シールド部との間の前記クロストラック方向の距離であるサイドボトムギャップは、前記サイドトップギャップより大きい、ことを特徴とする磁気記録ヘッド。
【請求項２】
前記サイドトップギャップは、前記トレーリングギャップとは同じ大きさである、ことを特徴とする請求項１に記載の磁気記録ヘッド。
【請求項３】
前記サイドボトムギャップは、前記主磁極の前記トレーリング方向の端の幅であるポール幅の２倍よりも小さい、ことを特徴とする請求項１に記載の磁気記録ヘッド。
【請求項４】
前記磁気シールド部は、前記主磁極の前記クロストラック方向の両側に形成されることにより、凹状に形成され、
前記主磁極の前記リーディング方向の端における、前記凹状に形成された前記磁気シールド部の開口幅は、前記主磁極の前記トレーリング方向の端における、前記磁気シールド部の開口幅よりも大きい、ことを特徴とする請求項１に記載の磁気記録ヘッド。
【請求項５】
前記磁気シールド部は、前記主磁極の前記クロストラック方向の片側にのみ形成されることにより、Ｌ字状に形成され、
前記主磁極の前記トレーリング方向の端の幅であるポール幅は、記録トラック幅よりも大きい、ことを特徴とする請求項１に記載の磁気記録ヘッド。
【請求項６】
請求項１〜５のいずれか一項に記載の磁気記録ヘッドと、
前記磁気記録ヘッドによりデータの記録が行われる磁気ディスクと、
を備える磁気ディスク記憶装置。
【発明の詳細な説明】
【技術分野】
【０００１】
本発明は、磁気記録ヘッド及び磁気ディスク記憶装置に関する。
【背景技術】
【０００２】
近年、情報技術が発展する中で、ＣＰＵ（Central Processing Unit）等の処理速度の向上や記憶装置の記憶容量の増加が注目されている。中でも磁気ディスク記憶装置は、大容量の記憶装置として最もよく用いられ、更なる高速化、高密度化の研究が行われている。磁気ディスク記憶装置の記録方式としては、磁界を磁気記録媒体の記録面に対して平行に発生させる水平磁気記録方式と、磁界を磁気記録媒体の記録面に対して垂直に発生させる垂直磁気記録方式とがあるが、近年の高密度化の要請から垂直磁気記録方式が主流となっている。
【０００３】
垂直磁気記録方式において、高い記録密度を実現するためには、記録方向である磁気ディスクの周方向の密度である線密度を高くすることと、記録方向に垂直な磁気ディスクの半径方向の密度であるトラック密度を高くすることとが挙げられる。トラック密度の向上には、磁気ディスクの互いの隣接トラックの書込みの影響を受ける領域であるイレーズバンドを狭くすることが必要であり、イレーズバンドを狭くするためには、磁気記録ヘッドから出力される磁界の、トラック幅方向における磁界勾配を高めることと、隣接トラックへ干渉の度合であるヘッドフリンジ磁界干渉（以下、「ＡＴＩ（Adjacent Track Interference）」という。）の低減が必要となる。
【０００４】
一般的に、磁気記録ヘッドは、サスペンションアームの旋回で発生するスキュー角による、隣接トラックへの影響を考慮して三角形や台形の形状が採られており、その他磁気記録ヘッドの形成に関しては様々な提案がなされている（特許文献１〜５参照）。また、トラック密度を著しく高める技術としてシングル記録方式が提案されている（特許文献６参照）。シングル記録方式とは、屋根の瓦葺きのように、記録トラックをオーバーラップさせながら記録するものである。従って、常にトラック中央部の記録情報は上書きされ、トラック端部の記録情報のみが読み出される技術である。
【先行技術文献】
【特許文献】
【０００５】
【特許文献１】特開２００６−１１４１５９号公報
【特許文献２】特開２００７−２５７７１１号公報
【特許文献３】特開２００８−１９８３２６号公報
【特許文献４】特開２００９−１６０２４号公報
【特許文献５】特開２００９−１１６９５２号公報
【特許文献６】米国特許第６９６７８１０号明細書
【発明の概要】
【発明が解決しようとする課題】
【０００６】
上述の文献のような提案はいずれも有用である。しかしながら、磁気記録ヘッドの主磁極及び磁気シールドの間隔（ギャップ）と、磁気記録ヘッドのフリンジ磁界干渉との関係に関する試みは未だ不十分であった。
【０００７】
さらに、シングル記録方式においては、前述のよりトラック端部の記録情報が読み出しに使用されるため、イレーズバンドの低減が必須である。
【０００８】
本発明は、上述の事情を鑑みてしたものであり、イレーズバンドの低減、および、ヘッドフリンジ磁界を小さくすると共に、記録磁界を低下させることのない磁気記録ヘッド及び磁気ディスク記憶装置を提供することを目的とする。
【課題を解決するための手段】
【０００９】
本発明の磁気記録ヘッドは、回転する磁気ディスクに対しリーディング方向に進行し、前記磁気ディスクにデータの記録を行う磁気記録ヘッドであって、前記磁気ディスクへ情報を記録するための磁界を発生させる主磁極と、非磁性の絶縁部を介して、前記主磁極から出力される磁界の広がりを抑える磁気シールド部と、を備え、前記磁気シールド部は、前記磁気ディスクに対向する面である摺動面上において、前記主磁極から、前記リーディング方向とは反対方向であるトレーリング方向と、前記磁気ディスクのトラック幅方向であるクロストラック方向の少なくとも片側と、を含んで配置され、前記主磁極の前記トレーリング方向の端における、前記主磁極と前記磁気シールド部との間の前記クロストラック方向の距離であるサイドトップギャップは、前記主磁極と前記磁気シールド部との間の前記トレーリング方向の距離であるトレーリングギャップの２倍より小さく、前記主磁極の、前記リーディング方向の端における、前記主磁極と前記磁気シールド部との間の前記クロストラック方向の距離であるサイドボトムギャップは、前記サイドトップギャップより大きい、ことを特徴とする磁気記録ヘッドである。
【００１０】
また、本発明の磁気記録ヘッドにおいては、前記サイドトップギャップは、前記トレーリングギャップとは同じ大きさである、とすることができる。ここで、「同じ大きさ」には±２０％の範囲を含むものとする。
【００１１】
また、本発明の磁気記録ヘッドにおいては、前記サイドボトムギャップは、前記主磁極の前記トレーリング方向の端の幅であるポール幅の２倍よりも小さい、とすることができる。
【００１２】
また、本発明の磁気記録ヘッドにおいては、前記磁気シールド部は、前記主磁極の前記クロストラック方向の両側に形成されることにより、凹状に形成され、前記主磁極の前記リーディング方向の端における、前記凹状に形成された前記磁気シールド部の開口幅は、前記主磁極の前記トレーリング方向の端における、前記磁気シールド部の開口幅よりも大きい、とすることができる。
【００１３】
また、本発明の磁気記録ヘッドにおいては、前記磁気シールド部は、前記主磁極の前記クロストラック方向の片側にのみ形成されることにより、Ｌ字状に形成され、前記主磁極の前記トレーリング方向の端の幅であるポール幅は、記録トラック幅よりも大きい、とすることができる。
【００１４】
本発明の磁気ディスク記憶装置は、上述した磁気記録ヘッドのうちのいずれかの磁気記録ヘッドと、前記磁気記録ヘッドによりデータの記録が行われる磁気ディスクと、を備える磁気ディスク記憶装置である。
【図面の簡単な説明】
【００１５】
【図１】本発明の比較例に係る磁気記録ヘッドのＡＢＳ面の様子を概略的に示す図である。
【図２】図１に示される磁気記録ヘッドにおける実効記録磁界の分布について示すグラフである。
【図３】サイドトップギャップを変化させた場合における実効記録磁界のクロストラック方向の勾配の変化を示すグラフである。
【図４】サイドボトムギャップを変化させた場合におけるヘッドフリンジ磁界の変化を示すグラフである。
【図５】本発明の第１実施形態に係る磁気ディスク記憶装置の斜視図である。
【図６】図５の磁気ディスク記憶装置の磁気ヘッドスライダの断面を概略的に示す図である。
【図７】図６の磁気ヘッドスライダの磁気記録ヘッドの主磁極付近のＡＢＳ面を概略的に示す図である。
【図８】図７に示される磁気記録ヘッドにおける実効記録磁界の分布について示すグラフである。
【図９】本発明の第２実施形態に係る磁気記録ヘッドの主磁極付近のＡＢＳ面を概略的に示す図である。
【図１０】本発明の第３実施形態に係る磁気記録ヘッドの主磁極付近のＡＢＳ面を概略的に示す図である。
【発明を実施するための形態】
【００１６】
まず、本発明の実施形態に係る磁気記録ヘッドの諸元を得るための比較例について説明する。
【００１７】
［比較例］
図１は、本発明との比較のための磁気記録ヘッド９０に関し、磁気記録ヘッド９０のディスク摺動面（以下、「ＡＢＳ（Air Bearing Surface）面」という。）の様子を概略的に示す図である。このＡＢＳ面を示す図１には、磁気ディスクに記録するための磁界を出力する主磁極９１と、磁気シールド９２と、非磁性絶縁膜９３とが示されている。ここで、回転する磁気ディスクから見た場合に、図面下方向が、磁気ヘッドスライダが進行する方向であるリーディング方向ＬＤであり、図面上方向がトレーリング方向ＴＲである。主磁極９１のトレーリング方向ＴＲ側の端の幅をポール幅ＰＷ、主磁極９１のトレーリング方向側の非磁性絶縁膜９３の幅をトレーリングギャップＴＲＧ、主磁極９１のトレーリング方向端におけるクロストラック方向ＣＲ（磁気ディスクのトラック幅方向）の非磁性絶縁膜９３の幅をサイドトップギャップＳＴＧ、主磁極９１のリーディング端におけるクロストラック方向ＣＲの非磁性絶縁膜９３の幅をサイドボトムギャップＳＢＧとする。図１は、サイドトップギャップＳＴＧとサイドボトムギャップＳＢＧの大きさが同じギャップ（以下、単に「サイドギャップＳＧ」という。」）である例について示している。
【００１８】
図２は、図１に示されるような非磁性絶縁膜９３の幅を有する磁気記録ヘッド９０において、有限要素法による計算された実効記録磁界について、サイドギャップＳＧが９０ｎｍである場合と、２５ｎｍである場合におけるクロストラック方向ＣＲの分布を示すグラフである。なお、サイドギャップＳＧ以外の他のギャップの大きさは変化させず、記録すべき領域であるトラック幅は±５０ｎｍである。この場合、イレーズバンドはクロストラック位置±７０〜９０ｎｍ付近に形成されるが、サイドギャップＳＧを小さくした２５ｎｍの場合には、トラック幅の外側における実効記録磁界は小さくなり、イレーズバンド形成位置でのＡＴＩは大幅に改善されるが、一方で、トラック中央部での磁界強度は、約１３５００Ｏｅから約９３００Ｏｅまで著しく低下してしまい、トラックへの記録するための磁界が不十分であることが分かる。
【００１９】
図３は、サイドトップギャップＳＴＧを変化させた場合における実効記録磁界のクロストラック方向ＣＲの勾配（dHeff/dy）の変化を示すグラフである。本シミュレーションは、トレーリングギャップＴＲＧを２５ｎｍ、ポール幅ＰＷを６０ｎｍ、サイドボトムギャップＳＢＧを８０ｎｍとし、有限要素法により計算し、勾配の最大値をプロットしている。ただし、サイドトップギャップＳＴＧが８０ｎｍ以上の場合は、サイドボトムギャップＳＢＧをサイドトップギャップＳＴＧと同じに設定した。また、磁界強度を劣化させないように、ＡＢＳ面から主磁極絞込み（フレア）位置までの長さ（フレアハイト）をそれぞれ調整している。
【００２０】
イレーズバンドはクロストラック方向ＣＲの主磁極９１が出力する記録磁界の勾配に依存する。すなわち、実効記録磁界のクロストラック方向ＣＲの勾配が大きいほどイレーズバンドは小さいことがいえる。
【００２１】
図３に示されるように、サイドトップギャップＳＴＧが、トレーリングギャップＴＲＧの２倍以下、すなわち５０ｎｍ以下の領域では、わずかなギャップの減少であっても実効記録磁界のクロストラック方向ＣＲの勾配は急激に大きくなる。一方、サイドトップギャップＳＴＧが５０ｎｍ以上の領域では、サイドトップギャップＳＴＧを極端に大きくしてもクロストラック勾配の変化量は小さい。このように、クロストラック勾配を急峻にする効果を得るためには、サイドトップギャップＳＴＧはトレーリングギャップＴＲＧの２倍よりも狭いことが必要であることが分かる。また、サイドトップギャップＳＴＧが３７ｎｍ以下の領域で特に大きな勾配となっていることから、サイドトップギャップＳＴＧをトレーリングギャップＴＲＧの１．５倍よりも小さいことがよりいっそう望ましいといえる。
【００２２】
また、理論的には、主磁極９１から出力される磁力線の密度、すなわち磁界強度は、主磁極に対向して配置されたシールドとのギャップが小さいほど強く、ギャップが大きいほど弱くなる。ここで、記録媒体内部まで到達する磁力線の総数は、必ずしも前述のギャップが小さいほど多い、すなわち磁界が強いとは言えないが、磁界の位置に対する変化量、すなわち媒体内部における磁界勾配はギャップが小さいほど高くなることが理論的に知られている。一般に磁気ヘッドのトレーリングギャップは、媒体内部の磁界強度が損なわれない範囲において、磁界勾配を最大化するような値に設計される。
【００２３】
本発明の目的は、サイドトップギャップ付近における、クロクトラック方向のフリンジ磁界を低減すること、すなわち磁界勾配を高くすることであるから、サイドトップギャップの設計もトレーリングギャップのそれと同様でなければならない。すなわち、トレーリングギャップＴＲＧとサイドトップギャップＳＴＧは同じ大きさであることが最も望ましいと考えられる。ここで、図３に示されるように、サイドトップギャップＳＴＧは、２０〜３０ｎｍであれば、トレーリングギャップＴＲＧと同じ大きさである場合と同程度の大きな効果を得られるものと考えられるため、トレーリングギャップＴＲＧの大きさの±２０％の範囲であれば、トレーリングギャップＴＲＧと「同じ大きさである」の意味に含まれるものとする。
【００２４】
図４は、サイドボトムギャップＳＢＧを変化させた場合におけるヘッドフリンジ磁界の変化を示すグラフである。本シミュレーションは、トレーリングギャップＴＲＧを２５ｎｍ、ポール幅ＰＷを６０ｎｍ、サイドトップギャップＳＴＧを２５ｎｍとし、フリンジ磁界の算出位置はトラック中央部から６０ｎｍの位置、ヘッドスキューは０ｄｅｇとして、有限要素法により計算している。なお、サイドボトムギャップＳＢＧの変化により、ポール中央部の最大磁界も変化してしまうので、ここではフリンジ磁界と最大磁界の比率でプロットしている。
【００２５】
サイドボトムギャップＳＢＧを広くすれば、トラック中央部すなわちポール中央部の実効記録磁界を強くすることができる。しかし、サイドボトムギャップＳＢＧが広すぎると、隣接トラックへのヘッドフリンジ磁界干渉が無視できなくなる。
【００２６】
図４に示されるように、サイドボトムギャップＳＢＧがポール幅の２倍以下、すなわち１２０ｎｍ以下の領域では、ギャップの減少に応じてフリンジ磁界の比率は減少することがわかる。しかし、１２０ｎｍ以上のギャップ領域では、フリンジ磁界の比率はあまり変化しない。これは、フリンジ磁界観察位置が６０ｎｍであるため、サイドボトムギャップＳＢＧがそれよりも十分に広い領域ではフリンジ磁界の変化が小さいことを示している。このように、本発明においてフリンジ磁界の悪化を防ぐには、サイドボトムギャップＳＢＧはポール幅ＰＷの２倍よりも狭いことが必要である。また、フリンジ磁界比率はサイドボトムギャップＳＢＧが９０ｎｍ以下の領域で特に小さくなっていることから、サイドボトムギャップＳＢＧはポール幅の１．５倍よりも小さいことがよりいっそう望ましいといえる。
【００２７】
上述した比較例の結果に基づいた本発明の実施形態について以下に説明する。
【００２８】
［第１実施形態］
本発明の第１の実施形態について、図面を参照しつつ説明する。なお、以下の第１〜第３の実施形態の説明及び図面において、同一又は同等の要素には同一の符号を付し、重複する説明を省略する。
【００２９】
図５は、本発明に係る磁気ディスク記憶装置１の斜視図である。図５では、トップカバーの図示が省略され、筐体５に納められた機構が現わされている。磁気ディスク記憶装置１の機構は、二値データが磁気の方向の違いにより記録される磁気ディスク２と、磁気ディスク２を回転させるためのスピンドルモータ３と、磁気ディスク２に書込みを行うための機構であるヘッドアッセンブリ４とから構成される。更に、ヘッドアッセンブリ４は、磁気ディスク２に書込みを行う磁気ヘッドスライダ１０と、先端に磁気ヘッドスライダ１０を保持するサスペンションアーム６と、サスペンションアーム６の後端においてサスペンションアーム６を旋回駆動させ、磁気ヘッドスライダ１０を磁気ディスク２の略半径方向に移動させることにより、データの書込み読出し位置まで導くボイスコイルモータ７と、これらの動作を制御する不図示の集積回路等とを備えている。
【００３０】
図６には、磁気ヘッドスライダ１０の断面が概略的に示されている。この図において、図面左側が、回転する磁気ディスク２から見た場合に、磁気ヘッドスライダ１０が進行する方向であるリーディング方向ＬＤであり、図面右側がトレーリング方向ＴＲである。この図に示されるように、磁気ヘッドスライダ１０は、アルミナ等の材料で形成された非磁性の絶縁膜部１２内に形成された記録ヘッド（磁気記録ヘッド）２０と、再生ヘッド３０と、これらを隔てる磁気シールド４０とから成り、ＡＢＳ面１５は、動作時には磁気ディスク２の回転により発生する気体流をうけて、磁気ディスク２から浮上している。
【００３１】
記録ヘッド２０は、垂直磁気記録を実現する単磁極型記録ヘッドである。この記録ヘッド２０は、例えばＮｉＦｅ合金等の軟磁性材料からなる、磁気的に接続された主磁極２１、補助磁極２３及び連結部２５と、主磁極２１の周囲に巻回されたコイル２７と、ＡＢＳ面１５近くにおいて主磁極２１の周囲に形成され、例えばＮｉＦｅ合金等からなる磁気シールド２９とを有している。
【００３２】
コイル２７は、主磁極２１を励磁して、主磁極２１のＡＢＳ面である記録磁界出力面２８から記録磁界を出力させる。出力された記録磁界は、磁気ディスク２の表面の記録層（不図示）を介して、軟磁性層（不図示）を通り、再び記録層を介して、補助磁極２３に吸収される。ここで、磁気シールド２９は、記録磁界出力面２８のトレーリング方向ＴＲ側に設けられ、出力される記録磁界が広がるのを防いでいる。
【００３３】
再生ヘッド３０は、記録ヘッド２０のリーディング方向ＬＤ側に、磁気シールド４０を隔てて配置されている。この再生ヘッド３０は、ＣＰＰ−ＧＭＲ方式の磁気抵抗効果素子からなる再生素子３６と、再生素子３６のリーディング方向ＬＤ側の上部シールド３２と、再生素子３６のトレーリング方向ＴＲ側の下部シールド３４とを有している。
【００３４】
図７は、主磁極２１付近のＡＢＳ面を概略的に示す図である。図面の下方向がリーディング方向ＬＤ、上方向がトレーリング方向ＴＲであり、図面の横方向は磁気ディスク２のトラック幅方向であるクロストラック方向ＣＲとしている。この図に示されるように、主磁極２１は、リーディング方向ＬＤに細く尖った略二等辺三角形の形状をしており、サスペンションアーム６の旋回で発生するスキュー角による隣接トラックへの書込みを防いでいる。磁気シールド２９は、主磁極２１を非磁性絶縁膜部１２を介して囲みつつ、リーディング方向ＬＤに開口する凹形状に形成されている。
【００３５】
ここで、本実施形態では、主磁極２１のトレーリング方向ＴＲの磁気シールド２９との幅であるトレーリングギャップＴＲＧは２５ｎｍ、主磁極２１のトレーリング方向ＴＲの端における、主磁極２１と磁気シールド２９との間のクロストラック方向ＣＲの距離であるサイドトップギャップＳＴＧは２５ｎｍ、主磁極２１のリーディング方向ＬＤの端における、主磁極２１と磁気シールド２９との間のクロストラック方向ＣＲの距離であるサイドボトムギャップＳＢＧを８０ｎｍとしている。
【００３６】
つまり、サイドトップギャップＳＴＧは、トレーリングギャップＴＲＧの２倍より狭く、かつ、トレーリングギャップＴＲＧと同じ幅となっている。また、サイドボトムギャップＳＢＧは、主磁極２１の中央部分での記録磁界を高く保つため、サイドトップギャップＳＴＧより大きく形成され、かつ、主磁極２１のトレーリング方向ＬＤ側の端の幅をポール幅ＰＷとすると、ポール幅ＰＷの２倍より小さく形成されている。また、主磁極２１のリーディング方向ＬＤの端における磁気シールド２９のボトム開口幅ＢＡＷは、主磁極２１のトレーリング方向ＴＲの端における磁気シールド２９のトップ開口幅ＴＡＷより大きく形成されている。
【００３７】
図８は、図７の形状を用いて、有限要素法により計算された実効記録磁界について、クロストラック方向ＣＲの分布を示すグラフである。比較のため、図２に示された従来ヘッドにおける二つの分布も点線で示している。イレーズバンドが形成されるクロストラック位置±７０〜９０ｎｍ付近でのフリンジ磁界は、図２のサイドギャップＳＧが２５ｎｍの場合と同様に大幅に改善されており、さらに、トラック中央部での磁界強度が約１１５０００Ｏｅまで回復されている。
【００３８】
したがって、本実施形態の磁気記録ヘッド及び磁気ディスク記憶装置によれば、記録磁界を低下させることなく、フリンジ磁界を小さくすることができる。
【００３９】
［第２実施形態］
図９は、本発明の第２実施形態の磁気記録ヘッド５０に係る主磁極５１付近のＡＢＳ面を概略的に示す図である。本実施形態に係る磁気記録ヘッド５０は、ポール幅ＰＷが記録トラック幅よりも広いシングル記録方式用の磁気記録ヘッドである。なお、第１実施形態とは、主磁極５１及び磁気シールド５９が異なるのみであり、その他の構成は同様であるため、その他の構成の説明は省略する。
【００４０】
シングル記録方式では、片側の隣接トラックに重なるように一方向に記録していくため、片側のイレーズバンドのみを小さくするように、磁気シールド５９をＬ字型に形成し、主磁極５１の片側にのみに、サイドトップギャップＳＴＧ及びサイドボトムギャップＳＢＧを設けている。
【００４１】
本実施形態においても、図９に示されるようなトレーリングギャップＴＲＧ、サイドトップギャップＳＴＧ、サイドボトムギャップＳＢＧについて、上述した条件を適用することができ、本実施形態では、トレーリングギャップＴＲＧは２５ｎｍ、サイドトップギャップＳＴＧは２５ｎｍ、及びサイドボトムギャップＳＢＧを８０ｎｍとしている。
【００４２】
したがって、本実施形態の磁気記録ヘッド及び磁気ディスク記憶装置によれば、シングル記録方式の磁気ディスクにおいて記録磁界を低下させることなく、イレーズバンド幅とフリンジ磁界を小さくすることができる。
【００４３】
［第３実施形態］
図１０は、本発明の第３実施形態の磁気記録ヘッド６０に係る主磁極６１付近のＡＢＳ面を概略的に示す図である。第１実施形態及び第２実施形態においては、主磁極の形状を略二等辺三角形としたが、本実施形態に係る磁気記録ヘッド６０は、主磁極６１の形状を台形としている。この場合には、主磁極の台形の長い底辺の延長線上における主磁極と磁気シールドとの距離がサイドトップギャップＳＴＧとなり、短い底辺の延長線上における主磁極と磁気シールドとの距離がサイドボトムギャップＳＢＧとなる。なお、第１実施形態とは、主磁極６１及び磁気シールド６９が異なるのみであり、その他の構成は同様であるため、その他の構成の説明は省略する。
【００４４】
本実施形態の磁気記録ヘッド及び磁気ディスク記憶装置によっても、記録磁界を低下させることなく、フリンジ磁界を小さくすることができる。
【符号の説明】
【００４５】
１  磁気ディスク記憶装置、２  磁気ディスク、３  スピンドルモータ、４  ヘッドアッセンブリ、５  筐体、６  サスペンションアーム、７  ボイスコイルモータ、１０  磁気ヘッドスライダ、１２  非磁性絶縁膜部、１５  ＡＢＳ面、２０  記録ヘッド、２１  主磁極、２３  補助磁極、２５  連結部、２７  コイル、２８  記録磁界出力面、２９  磁気シールド、３０  再生ヘッド、３２  再生素子、３４  磁気シールド、３６  再生素子、４０  磁気シールド、５０  磁気記録ヘッド、５１  主磁極、５９  磁気シールド、６０  磁気記録ヘッド、６１  主磁極、６９  磁気シールド、９０  磁気記録ヘッド、９１  主磁極、９２  磁気シールド、９３  非磁性絶縁膜。
【図１】
2011123962.tif 000003
【図２】
2011123962.tif 000004
【図３】
2011123962.tif 000005
【図４】
2011123962.tif 000006
【図５】
2011123962.tif 000007
【図６】
2011123962.tif 000008
【図７】
2011123962.tif 000009
【図８】
2011123962.tif 000010
【図９】
2011123962.tif 000011
【図１０】
2011123962.tif 000012